(57)【要約】      （修正有）【課題】陳列販売商品ごとに商品総計個数をリアルタイムに確認しながら商品陳列システムへの商品陳列状態を模索することができるデータ処理装置を提供する。【解決手段】データ処理装置は、タバコパックなどの陳列販売商品を上下左右に陳列して前後方向に収容する商品陳列システムの陳列収容構造をシステム正面画像とともに記憶し、複数種類の陳列販売商品ごとにパックフェイス画像などの商品正面画像を記憶する。システム正面画像と複数種類の商品正面画像を表示し、入力操作に対応してシステム正面画像に商品正面画像を配置することで商品陳列システムに陳列販売商品の陳列状態を表示する。システム正面画像に商品正面画像が配置された陳列販売商品ごとに商品総計個数を算出して表示する。このため、作業者は表示出力されたシステム正面画像に所望の商品正面画像を配置するだけで、商品総計個数をリアルタイムに確認することができる。【選択図】図１
2010026786.tif 000002
【特許請求の範囲】
【請求項１】
商品陳列システムに収容される複数種類の陳列販売商品の商品陳列形態をシミュレートするデータ処理装置であって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶部と、
前記システム正面画像の前記商品保持位置に配置される前記陳列販売商品ごとに少なくとも商品正面画像を記憶する商品記憶部と、
記憶されている前記システム正面画像と複数種類の前記商品正面画像とを表示出力する正面表示部と、
前記商品正面画像を前記システム正面画像の前記商品保持位置に配置する入力操作を受け付ける配列操作部と、
入力操作に対応して前記商品陳列システムに前記陳列販売商品が陳列された状態を表示出力する陳列表示部と、
前記商品正面画像に前記商品正面画像が配置された前記陳列販売商品ごとに前後方向の収容個数と上下左右の陳列個数とを乗算して商品総計個数を算出する個数算出部と、
算出された前記商品総計個数を前記陳列販売商品ごとに表示出力する個数表示部と、
を有するデータ処理装置。
【請求項２】
前記個数表示部は、前記システム正面画像の前記商品保持位置に前記商品正面画像が配置された前記陳列販売商品ごとに前記商品総計個数を表示出力する請求項１に記載のデータ処理装置。
【請求項３】
前記商品記憶部は、複数種類の前記陳列販売商品ごとに少なくとも前記商品正面画像とともに販売商品コストも記憶し、
前記陳列販売商品ごとに前記商品総計個数と前記販売商品コストとを乗算して商品総計コストを算出するコスト算出部と、
算出された前記商品総計コストを前記陳列販売商品ごとに表示出力するコスト表示部とを、
さらに有する請求項１または２に記載のデータ処理装置。
【請求項４】
前記コスト表示部は、前記システム正面画像の前記商品保持位置に前記商品正面画像が配置された前記陳列販売商品ごとに前記商品総計コストを表示出力する請求項３に記載のデータ処理装置。
【請求項５】
前記陳列販売商品ごとに算出された前記商品総計コストを総計して陳列総計コストを算出する総計算出部を、さらに有し、
前記コスト表示部は、算出された前記商品総計コストを前記陳列販売商品ごとに表示出力するとともに前記陳列総計コストを表示出力する請求項３または４に記載のデータ処理装置。
【請求項６】
前記商品陳列システムが組換自在な複数種類のユニット部材で形成されており、
前記構造記憶部は、複数種類の前記ユニット部材ごとのユニットデータで前記商品陳列システムの陳列収容構造を少なくともシステム正面画像とともに記憶する請求項１ないし５の何れか一項に記載のデータ処理装置。
【請求項７】
前記陳列販売商品の少なくとも一部がタバコパックからなる請求項１ないし６の何れか一項に記載のデータ処理装置。
【請求項８】
前記陳列販売商品の少なくとも一部がタバコカートンからなる請求項７に記載のデータ処理装置。
【請求項９】
前記タバコパックの前記商品正面画像と前記タバコカートンの前記商品正面画像とが入力操作に対応して切換自在である請求項８に記載のデータ処理装置。
【請求項１０】
商品陳列システムに収容される複数種類の陳列販売商品の商品陳列形態をシミュレートするデータ処理装置のコンピュータプログラムであって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶処理と、
前記システム正面画像の前記商品保持位置に配置される前記陳列販売商品ごとに少なくとも商品正面画像を記憶する商品記憶処理と、
記憶されている前記システム正面画像と複数種類の前記商品正面画像とを表示出力する正面表示処理と、
前記商品正面画像を前記システム正面画像の前記商品保持位置に配置する入力操作を受け付ける配列操作処理と、
入力操作に対応して前記商品陳列システムに前記陳列販売商品が陳列された状態を表示出力する陳列表示処理と、
前記商品正面画像に前記商品正面画像が配置された前記陳列販売商品ごとに前後方向の収容個数と上下左右の陳列個数とを乗算して商品総計個数を算出する個数算出処理と、
算出された前記商品総計個数を前記陳列販売商品ごとに表示出力する個数表示処理と、
を前記データ処理装置に実行させるコンピュータプログラム。
【請求項１１】
商品陳列システムに収容される複数種類の陳列販売商品の商品陳列形態をシミュレートするデータ処理装置のデータ処理方法であって、
商品保持位置で前記陳列販売商品を上下方向および左右方向に所定個数ずつ配列して陳列するとともに前後方向に所定個数ずつ収容する前記商品陳列システムの陳列収容構造を少なくともシステム正面画像とともに記憶する構造記憶動作と、
前記システム正面画像の前記商品保持位置に配置される前記陳列販売商品ごとに少なくとも商品正面画像を記憶する商品記憶動作と、
記憶されている前記システム正面画像と複数種類の前記商品正面画像とを表示出力する正面表示動作と、
前記商品正面画像を前記システム正面画像の前記商品保持位置に配置する入力操作を受け付ける配列操作動作と、
入力操作に対応して前記商品陳列システムに前記陳列販売商品が陳列された状態を表示出力する陳列表示動作と、
前記商品正面画像に前記商品正面画像が配置された前記陳列販売商品ごとに前後方向の収容個数と上下左右の陳列個数とを乗算して商品総計個数を算出する個数算出動作と、
算出された前記商品総計個数を前記陳列販売商品ごとに表示出力する個数表示動作と、
を有するデータ処理方法。
【発明の詳細な説明】
【技術分野】
【０００１】
本発明は、商品陳列システムに収容される複数種類の陳列販売商品の商品陳列形態をシミュレートするデータ処理装置、このデータ処理装置のコンピュータプログラムおよびデータ処理方法、に関する。
【背景技術】
【０００２】
現在、いわゆるコンビニエンスストアなどのタバコ販売店舗では、例えば、陳列販売商品としてタバコパックを陳列して販売している。なお、ここで云うタバコパックとは、実際に喫煙される複数の紙巻タバコを、直方体状のパッケージに収容した陳列販売商品を意味している。
【０００３】
そこで、タバコパックを陳列する商品陳列システムは、例えば、複数のマガジンユニットと一個のシステムフレームからなる。マガジンユニットは、例えば、無色透明な樹脂により、前後方向に細長い上面開口のボックス状に形成されている。マガジンユニットは、立設された状態のタバコパックが前後方向に配列された状態で上方から収容される。
【０００４】
システムフレームは、複数のマガジンユニットを上下左右に配列して保持する。このため、従来の商品陳列システムは、タバコパックを上下左右に配列して陳列することができる。
【０００５】
タバコパックなどの商品の販売を促進する上で、魅力ある売場構築は重要な要素である。売場構築を考えるにあたっては、種々の要素を考慮する必要があるが、特に商品を陳列する場所の大きさは、重要な因子となる。
【０００６】
商品の売場として、従来は、ショッピングモールや量販店等の広大な売場が主流であった。しかし、近年では、流通形態の変化により、コンビニエンスストアのような狭小な売場が大幅に増加してきている。
【０００７】
こうした狭小な売場においては、限られたスペースで如何に最大の顧客訴求効果を得るかが、販売戦略上の最重要テーマとなる。しかしながら、従来、こうした狭小な売場において、優れた顧客訴求効果の得られる売場構築は、あまり充分に検討されることはなかった。また、タバコ販売店舗に導入される商品陳列システムは定型のものが多く、売場構築の工夫をするにも限界があった。
【０００８】
特に、コンビニエンスストアのような狭小なタバコ販売店舗では、商品陳列システムを設置する売場スペースを確保するのが精一杯であるうえ、短時間で設置作業を完了させることが求められるため、顧客訴求効果および売場構築への寄与といった観点から商品陳列システムが開発された例はほとんどなかった。
【特許文献１】特開２００４−１５１９５５号公報
【発明の開示】
【発明が解決しようとする課題】
【０００９】
そこで、上述のような課題を解決するため、本出願人は過去にユニット構造の商品陳列システムを発明し、特願２００６−２６６６２５号として出願した。その商品陳列システムでは、複数種類のユニット部材が任意の組み合わせで上下方向に連結されて左右方向に配列される。
【００１０】
このため、狭小なタバコ販売店舗でも、簡単に搬入して迅速に設置することができる。さらに、設置場所にもタバコパックの商品陳列形態にも柔軟性があるので、訴求効果が高い売場を演出するようなことができる。従って、理想的な売場の構築に寄与することができる。
【００１１】
上述のように、特願２００６−２６６６２５号の商品陳列システムは、理想的な売場構築を実現するため、複数種類のユニット部材を様々に組み合わせることができる。このような商品陳列システムでタバコパックを陳列販売する場合、作業者は所望により商品陳列システムを構築してタバコパックを陳列すればよい。
【００１２】
しかし、上述の商品陳列システムは余りにも自由度が高いため、そのユニット部材の組み合わせは膨大である。このため、商品陳列システムを新規に導入するタバコ販売店舗の作業者は、タバコパックの最適な商品陳列形態の決定に苦慮する可能性がある。
【００１３】
特に、タバコパックやタバコカートンは、人気により販売の回転速度が大幅に相違する。このため、人気のタバコパックやタバコカートンは多量に在庫しておく必要がある。
【００１４】
一方、販売速度は低くとも着実に売れるタバコパックなどもあり、このようなタバコパックも少量ながら在庫しておく必要がある。しかし、このようにタバコパックごとにタバコ陳列システムに収容しておく最適な個数を考慮しながら、タバコ陳列システムでのタバコパックなどの美麗な陳列状態を構築することは、極めて困難である。
なお、狭小な売場に対応した商品陳列システムの場合だけではなく、スペースに余裕のある売上での対面販売などでも、上述のように最適な収容個数を考慮しながらタバコ陳列システムでのタバコパックなどの美麗な陳列状態を構築するの困難さは同様である。
【００１５】
本発明は上述のような課題に鑑みてなされたものであり、陳列販売商品ごとに商品総計個数をリアルタイムに確認しながら、所望により複数種類の陳列販売商品を商品陳列システムの商品保持位置に配列し、美麗な商品陳列状態を模索することができるデータ処理装置を提供するものである。
【課題を解決するための手段】
【００１６】
本発明のデータ処理装置は、商品陳列システムに収容される複数種類の陳列販売商品の商品陳列形態をシミュレートするデータ処理装置であって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶部と、システム正面画像の商品保持位置に配置される陳列販売商品ごとに少なくとも商品正面画像を記憶する商品記憶部と、記憶されているシステム正面画像と複数種類の商品正面画像とを表示出力する正面表示部と、商品正面画像をシステム正面画像の商品保持位置に配置する入力操作を受け付ける配列操作部と、入力操作に対応して商品陳列システムに陳列販売商品が陳列された状態を表示出力する陳列表示部と、商品正面画像に商品正面画像が配置された陳列販売商品ごとに前後方向の収容個数と上下左右の陳列個数とを乗算して商品総計個数を算出する個数算出部と、算出された商品総計個数を陳列販売商品ごとに表示出力する個数表示部と、を有する。
【００１７】
従って、本発明のデータ処理装置では、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに構造記憶部が記憶する。複数種類の陳列販売商品ごとに少なくとも商品正面画像を商品記憶部が記憶する。記憶されているシステム正面画像と複数種類の商品正面画像とを正面表示部が表示出力する。入力操作に対応してシステム正面画像の商品保持位置に商品正面画像を配置することで商品陳列システムに陳列販売商品が陳列された状態を陳列表示部が表示出力する。商品正面画像に商品正面画像が配置された陳列販売商品ごとに前後方向の収容個数と上下左右の陳列個数とを個数算出部が乗算して商品総計個数を算出する。算出された商品総計個数を個数表示部が陳列販売商品ごとに表示出力する。このため、作業者は表示出力されたシステム正面画像の商品保持位置に所望の商品正面画像を配置するだけで、商品陳列システムに陳列販売商品が陳列された状態を確認することができる。しかも、例えば、陳列販売商品や商品保持位置のサイズなどにより前後方向の収容個数が変化する場合でも、上述のようにシステム正面画像に商品正面画像が配置されるだけで陳列販売商品ごとに商品総計個数が算出される。
【００１８】
また、上述のようなデータ処理装置において、個数表示部は、システム正面画像の商品保持位置に商品正面画像が配置された陳列販売商品ごとに商品総計個数を表示出力してもよい。
【００１９】
また、上述のようなデータ処理装置において、商品記憶部は、複数種類の陳列販売商品ごとに少なくとも商品正面画像とともに販売商品コストも記憶し、陳列販売商品ごとに商品総計個数と販売商品コストとを乗算して商品総計コストを算出するコスト算出部と、算出された商品総計コストを陳列販売商品ごとに表示出力するコスト表示部とを、さらに有してもよい。
【００２０】
また、上述のようなデータ処理装置において、コスト表示部は、システム正面画像の商品保持位置に商品正面画像が配置された陳列販売商品ごとに商品総計コストを表示出力してもよい。
【００２１】
また、上述のようなデータ処理装置において、陳列販売商品ごとに算出された商品総計コストを総計して陳列総計コストを算出する総計算出部を、さらに有し、コスト表示部は、算出された商品総計コストを陳列販売商品ごとに表示出力するとともに陳列総計コストを表示出力してもよい。
【００２２】
また、上述のようなデータ処理装置において、商品陳列システムが組換自在な複数種類のユニット部材で形成されており、構造記憶部は、複数種類のユニット部材ごとのユニットデータで商品陳列システムの陳列収容構造を少なくともシステム正面画像とともに記憶してもよい。
【００２３】
また、上述のようなデータ処理装置において、陳列販売商品の少なくとも一部がタバコパックからなってもよい。
【００２４】
また、上述のようなデータ処理装置において、陳列販売商品の少なくとも一部がタバコカートンからなってもよい。
【００２５】
本発明のコンピュータプログラムは、商品陳列システムに収容される複数種類の陳列販売商品の商品陳列形態をシミュレートするデータ処理装置のコンピュータプログラムであって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶処理と、システム正面画像の商品保持位置に配置される陳列販売商品ごとに少なくとも商品正面画像を記憶する商品記憶処理と、記憶されているシステム正面画像と複数種類の商品正面画像とを表示出力する正面表示処理と、商品正面画像をシステム正面画像の商品保持位置に配置する入力操作を受け付ける配列操作処理と、入力操作に対応して商品陳列システムに陳列販売商品が陳列された状態を表示出力する陳列表示処理と、商品正面画像に商品正面画像が配置された陳列販売商品ごとに前後方向の収容個数と上下左右の陳列個数とを乗算して商品総計個数を算出する個数算出処理と、算出された商品総計個数を陳列販売商品ごとに表示出力する個数表示処理と、をデータ処理装置に実行させる。
【００２６】
本発明のデータ処理方法は、商品陳列システムに収容される複数種類の陳列販売商品の商品陳列形態をシミュレートするデータ処理装置のデータ処理方法であって、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに記憶する構造記憶動作と、システム正面画像の商品保持位置に配置される陳列販売商品ごとに少なくとも商品正面画像を記憶する商品記憶動作と、記憶されているシステム正面画像と複数種類の商品正面画像とを表示出力する正面表示動作と、商品正面画像をシステム正面画像の商品保持位置に配置する入力操作を受け付ける配列操作動作と、入力操作に対応して商品陳列システムに陳列販売商品が陳列された状態を表示出力する陳列表示動作と、商品正面画像に商品正面画像が配置された陳列販売商品ごとに前後方向の収容個数と上下左右の陳列個数とを乗算して商品総計個数を算出する個数算出動作と、算出された商品総計個数を陳列販売商品ごとに表示出力する個数表示動作と、を有する。
【００２７】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００２８】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２９】
また、本発明のデータ処理方法は、複数の動作を順番に記載してあるが、その記載の順番は複数の動作を実行する順番を限定するものではない。このため、本発明のデータ処理方法を実施するときには、その複数の動作の順番は内容的に支障しない範囲で変更することができる。
【００３０】
さらに、本発明のデータ処理方法は、複数の動作が個々に相違するタイミングで実行されることに限定されない。このため、ある動作の実行中に他の動作が発生すること、ある動作の実行タイミングと他の動作の実行タイミングとの一部ないし全部が重複していること、等でもよい。
【００３１】
また、本発明では上下以外に前後左右の方向も規定しているが、これは本発明の構成要素の相対関係を簡単に説明するために便宜的に規定したものであり、本発明を実施する場合の製造時や使用時の方向を限定するものではない。
【００３２】
さらに、本発明で云う「データを記憶する」とは、本発明の装置が、少なくともデータを記憶する機能を有することを意味している。このため、本発明の装置がコンシューマにより新規に登録されるデータを記憶することの他、サプライヤにより製造時に登録されたデータを記憶して出荷後にはコンシューマにより新規のデータが登録されないことも許容する。
【００３３】
また、本発明で云うデータ処理装置は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
【００３４】
なお、本発明でコンピュータプログラムに対応した各種動作をデータ処理装置に実行させることは、各種デバイスをデータ処理装置に動作制御させることなども意味している。
【００３５】
例えば、データ処理装置に各種データを記憶させることは、データ処理装置に固定されているＨＤＤ（Hard Disc Drive）等の情報記憶媒体にＣＰＵが各種データを格納すること、データ処理装置に交換自在に装填されているＣＤ−Ｒ（Compact Disc-Recordable）等の情報記憶媒体にＣＰＵがＣＤドライブで各種データを格納すること、等を許容する。
【発明の効果】
【００３６】
本発明のデータ処理装置では、商品保持位置で陳列販売商品を上下方向および左右方向に所定個数ずつ配列して陳列するとともに前後方向に所定個数ずつ収容する商品陳列システムの陳列収容構造を少なくともシステム正面画像とともに構造記憶部が記憶する。複数種類の陳列販売商品ごとに少なくとも商品正面画像を商品記憶部が記憶する。記憶されているシステム正面画像と複数種類の商品正面画像とを正面表示部が表示出力する。入力操作に対応してシステム正面画像の商品保持位置に商品正面画像を配置することで商品陳列システムに陳列販売商品が陳列された状態を陳列表示部が表示出力する。商品正面画像に商品正面画像が配置された陳列販売商品ごとに前後方向の収容個数と上下左右の陳列個数とを個数算出部が乗算して商品総計個数を算出する。このため、作業者は表示出力されたシステム正面画像の商品保持位置に所望の商品正面画像を配置するだけで、商品陳列システムに陳列販売商品が陳列された状態を確認することができる。しかも、例えば、陳列販売商品や商品保持位置のサイズなどにより前後方向の収容個数が一様ではない場合でも、上述のようにシステム正面画像に商品正面画像を配置するだけで陳列販売商品ごとに商品総計個数が算出される。このため、陳列販売商品ごとに商品総計個数をリアルタイムに確認しながら、所望により複数種類の陳列販売商品を商品陳列システムの商品保持位置に配列し、美麗な商品陳列状態を模索することができる。
【発明を実施するための最良の形態】
【００３７】
本発明の実施の一形態を図面を参照して以下に説明する。本実施の形態のデータ処理装置８００は、詳細には後述するが、図１に示すように、商品陳列システムであるタバコ陳列システム１０００に収容される複数種類の陳列販売商品であるタバコパックＴＰやブリックパックＢＰやタバコカートンＴＫの商品陳列形態をシミュレートするために利用される。
【００３８】
データ処理装置８００は、図２に示すように、各種データを表示画面に表示出力する表示デバイス８０１、各種の入力操作を受け付ける入力デバイス８０２、各種のデータ処理を実行するコンピュータユニット８０３、等をハードウェアとして有する。
【００３９】
より詳細には、このコンピュータユニット８０３は、各種のデータ処理を実行するＣＰＵ(Central Processing Unit)８３１、各種データを固定的に記憶しているＲＯＭ(Read Only Memory)８３２、各種データを一時保持するＲＡＭ(Random Access Memory)８３３、等を有し、これらがバスライン８３４で接続されている。
【００４０】
さらに、このバスライン８３４には、大容量の各種データを記憶するＨＤＤ(Hard Disc Drive)８４１、データカード８５１が着脱自在に装填されるカードリーダ８４２、ＣＤ(Compact Disc)−ＲＯＭ８５２が着脱自在に装填されるＣＤドライブ８４３、入力デバイス８０２であるキーボード８４４、入力デバイス８０２であるマウス８４５、ＬＣＤ(Liquid Crystal Display)等からなる表示デバイス８０１、Ｉ／Ｆ(Interface)ユニット８４６、等のハードウェアが接続されている。
【００４１】
本実施の形態のデータ処理装置８００では、ＲＯＭ８３２、ＲＡＭ８３３、ＨＤＤ８４１、着脱自在なデータカード８５１、着脱自在なＣＤ−ＲＯＭ８５２、等がデータ記憶媒体に相当し、詳細には後述するが、これらの少なくとも一個にＣＰＵ８３１のための各種のコンピュータプログラムが格納されている。
【００４２】
このコンピュータプログラムや入力デバイス８０２の入力データなどに対応して、データ処理装置８００は、表示デバイス８０１の画像生成などの各種のデータ処理を実行する。
【００４３】
このため、データ処理装置８００は、図１に示すように、商品保持位置ＰＫＳでタバコパックＴＰやブリックパックＢＰやタバコカートンＴＫを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに記憶する構造記憶部８１０と、システム正面画像ＳＦＧの商品保持位置ＰＫＳに配置される複数種類のタバコパックＴＰやブリックパックＢＰやタバコカートンＴＫごとに少なくとも商品正面画像としてパックフェイス画像ＰＦＧやブリックフェイス画像ＢＦＧやカートンフェイス画像ＫＦＧやカートン端面画像ＫＥＧを記憶する商品記憶部８２０と、記憶されているシステム正面画像ＳＦＧと複数種類のパックフェイス画像ＰＦＧやブリックフェイス画像ＢＦＧやカートンフェイス画像ＫＦＧやカートン端面画像ＫＥＧとを表示出力する正面表示部８３０と、パックフェイス画像ＰＦＧやブリックフェイス画像ＢＦＧやカートンフェイス画像ＫＦＧやカートン端面画像ＫＥＧをシステム正面画像ＳＦＧの商品保持位置ＰＫＳに配置する入力操作を受け付ける配列操作部８４０と、入力操作に対応してタバコ陳列システム１０００にタバコパックＴＰやブリックパックＢＰやタバコカートンＴＫが陳列された状態を表示出力する陳列表示部８５０と、パックフェイス画像ＰＦＧやブリックフェイス画像ＢＦＧやカートンフェイス画像ＫＦＧやカートン端面画像ＫＥＧにパックフェイス画像ＰＦＧやブリックフェイス画像ＢＦＧやカートンフェイス画像ＫＦＧやカートン端面画像ＫＥＧが配置されたタバコパックＴＰやブリックパックＢＰやタバコカートンＴＫごとに前後方向の収容個数と上下左右の陳列個数とを乗算して商品総計個数であるタバコ総計個数を算出する個数算出部８６０と、算出されたタバコ総計個数をタバコパックＴＰやブリックパックＢＰやタバコカートンＴＫごとに表示出力する個数表示部８７０と、を論理的に有する。
【００４４】
より具体的には、本実施の形態のデータ処理装置８００でタバコパックＴＰやブリックパックＢＰやタバコカートンＴＫの陳列状態がシミュレートされるタバコ陳列システム１０００は、図４に示すように、前後方向に細長い上面開口のボックス状に形成されていて前後方向に配列された複数のタバコパックＴＰを保持する形状の複数のマガジンユニット１００と、上面開口のボックス状に形成されていて左右方向に配列された複数のマガジンユニット１００を着脱自在に保持する形状の複数のトレーユニット２００と、前面開口のボックス状に形成されていて上下方向に離間した配置で複数のトレーユニット２００を着脱自在に保持する形状の複数のフレームユニット３００と、複数のフレームユニット３００を上下方向に連結する上下連結機構と、を有する。
【００４５】
タバコ陳列システム１０００は、陳列販売商品であるタバコパックＴＰ、複数のタバコパックＴＰがパックされた商品であるタバコカートンＴＫ、特別なタバコパックＴＰであるブリックパックＢＰ、等を陳列する。
【００４６】
なお、ブリックパックＢＰは、特別な陳列販売商品であり、例えば、携帯灰皿などのノベルティグッズをタバコパックＴＰと一体にパッキングした構造などからなり、特別な構造のタバコパックＴＰと認識することができる。このブリックパックＢＰは、例えば、厚紙で形成された簡易什器ＥＦとともにタバコ販売店舗に提供される。
【００４７】
現在、タバコパックＴＰは、上下寸法に多少の長短はあるものの、一般的に前後左右の寸法が共通した定型の直方体状に形成されている。そして、本実施の形態では、タバコパックＴＰの最大面を前面および後面、最小面を上面および下面、と規定する。
【００４８】
なお、通常のタバコパックＴＰは前面(および後面)に銘柄などが表記されている。このため、その前面が前方に位置する適正な方向の状態で陳列されることが好ましい。そして、マガジンユニット１００は、図４に示すように、上述のように方向が適正な状態の複数のタバコパックＴＰを前後方向に配列した状態で収容する。
【００４９】
トレーユニット２００も、上面が開口したボックス状に無色透明な樹脂で形成されている。トレーユニット２００には、複数のマガジンユニット１００が左右方向に配列された状態で収容される。
【００５０】
ただし、本実施の形態のタバコ陳列システム１０００では、図３に示すように、マガジンユニット１００を五個収容する幅広のトレーユニット２００と三個収容する幅狭のトレーユニット２００とがある。
【００５１】
フレームユニット３００は、図４に示すように、一対の本体フレーム３１０と複数の支持フレーム３２０からなる。本体フレーム３１０は、前面形状が矩形の枠状となるように曲折された金属の板材からなり、一対が前後方向に配列されている。
【００５２】
支持フレーム３２０は、トレーユニット２００を支持する前後方向に細長いレール状に形成された金属の板材からなり、複数が上下方向に配列されて一対の本体フレーム３１０の内側面に接合されている。
【００５３】
ただし、トレーユニット２００は、前述のように二種類の左右寸法がある。そこで、本実施の形態のタバコ陳列システム１０００では、図３に示すように、左右寸法が大きいトレーユニット２００を三個保持するフレームユニット３００、左右寸法が大きいトレーユニット２００を二個保持するフレームユニット３００、左右寸法が小さいトレーユニット２００を三個保持するフレームユニット３００、左右寸法が小さいトレーユニット２００を二個保持するフレームユニット３００、がある。
【００５４】
なお、フレームユニット３００は、本体フレーム３１０の上面両側と下面両側とに、上下連結機構となる面ファスナ３１１が装着されている。また、本体フレーム３１０の下面中央には、フレーム凹部となるフレーム貫通孔(図示せず)が形成されている。本体フレーム３１０の上面中央には、フレーム凸部となる凸部材３１４が装着されている。
【００５５】
そこで、本実施の形態のタバコ陳列システム１０００では、図４に示すように、横幅が同一の複数のフレームユニット３００を上下方向に設置すると、その複数のフレームユニット３００が面ファスナ３１１により連結される。このとき、フレーム貫通孔と凸部材３１４とが係合する。
【００５６】
なお、タバコ陳列システム１０００は、前述のようにフレームユニット３００にトレーユニット２００で装着したマガジンユニット１００にタバコパックＴＰを収容する他、フレームユニット３００に装着したトレーユニット２００にタバコカートンＴＫを長手方向が前後方向の状態や左右方向の状態で収容することもできる。つまり、タバコ陳列システム１０００は、フレームユニット３００に複数種類の使用状態がある。
【００５７】
上述のように複数種類のフレームユニット３００やトレーユニット２００を自在に組み合わせることで、タバコ販売店舗ごとに様々な形態のタバコ陳列システム１０００が構築される。
【００５８】
上述のように複数種類のフレームユニット３００などでタバコ陳列システム１０００が形成されると、これに対応した陳列収容構造ＤＩＳとしてデータ処理装置８００にデータ登録される。
【００５９】
このとき、フレームユニット３００ごとのユニットデータが事前に用意されていることにより、タバコ陳列システム１０００の陳列収容構造ＤＩＳおよび商品保持位置ＰＫＳが簡単かつ確実にデータ処理装置８００に登録される。
【００６０】
上述のような状態で、データ処理装置８００は、前述のようにタバコ陳列システム１０００にタバコパックＴＰやタバコカートンＴＫなどを最適に陳列することをシミュレートすることができる。
【００６１】
なお、上述のようなデータ処理装置８００のコンピュータプログラムは、例えば、タバコ陳列システム１０００とともにアプリケーションソフトとしてタバコ製造メーカからタバコ販売店舗に提供される。
【００６２】
上述のようなコンピュータプログラムは、例えば、商品保持位置ＰＫＳでタバコパックＴＰやブリックパックＢＰやタバコカートンＴＫを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに記憶する構造記憶処理と、複数種類のタバコパックＴＰやブリックパックＢＰやタバコカートンＴＫごとに少なくともパックフェイス画像ＰＦＧやブリックフェイス画像ＢＦＧやカートンフェイス画像ＫＦＧやカートン端面画像ＫＥＧを記憶する商品記憶処理と、記憶されているシステム正面画像ＳＦＧと複数種類のパックフェイス画像ＰＦＧやブリックフェイス画像ＢＦＧやカートンフェイス画像ＫＦＧやカートン端面画像ＫＥＧとを表示出力する正面表示処理と、パックフェイス画像ＰＦＧやブリックフェイス画像ＢＦＧやカートンフェイス画像ＫＦＧやカートン端面画像ＫＥＧをシステム正面画像ＳＦＧの商品保持位置ＰＫＳに配置する入力操作を受け付ける配列操作処理と、入力操作に対応してタバコ陳列システム１０００にタバコパックＴＰやブリックパックＢＰやタバコカートンＴＫが陳列された状態を表示出力する陳列表示処理と、パックフェイス画像ＰＦＧやブリックフェイス画像ＢＦＧやカートンフェイス画像ＫＦＧやカートン端面画像ＫＥＧにパックフェイス画像ＰＦＧやブリックフェイス画像ＢＦＧやカートンフェイス画像ＫＦＧやカートン端面画像ＫＥＧが配置されたタバコパックＴＰやブリックパックＢＰやタバコカートンＴＫごとに前後方向の収容個数と上下左右の陳列個数とを乗算してタバコ総計個数を算出する個数算出処理と、算出されたタバコ総計個数をタバコパックＴＰやブリックパックＢＰやタバコカートンＴＫごとに表示出力する個数表示処理と、をデータ処理装置８００に実行させるように記述されている。
【００６３】
上述のような構成において、本実施の形態のデータ処理装置８００およびタバコ陳列システム１０００の使用方法を以下に説明する。まず、本実施の形態のタバコ陳列システム１０００では、四種類のフレームユニット３００、四種類のトレーユニット２００、二種類のマガジンユニット１００、等を所望により自在に組み合せることができる。
【００６４】
このため、本実施の形態のタバコ陳列システム１０００は、設置する空間に対応した外形とすることができ、空間を有効に利用することができる。特に、タバコパックＴＰを三列に保持する幅狭のフレームユニット３００と五列に保持する幅広のフレームユニット３００とがあるので、設置スペースの左右寸法に良好に対応することができる。
【００６５】
さらに、タバコパックＴＰを三行に保持する背高のフレームユニット３００と二行に保持する背低のフレームユニット３００とがあるので、設置スペースの上下寸法にも良好に対応することができる。
【００６６】
上述のようにタバコ販売店舗で独自にタバコ陳列システム１０００を構築すると、このタバコ陳列システム１０００の陳列収容構造ＤＩＳや商品保持位置ＰＫＳが陳列システムデータとしてデータ処理装置８００に登録される。
【００６７】
なお、本出願人は上述のようなタバコ陳列システム１０００の構築をシミュレートして支援するデータ処理装置８００を発明しており、特願２００７−０５３７１８号，特願２００７−０５３７１９号，特願２００７−０５３７２５号，特願２００７−０５３７２６号、として出願している。
【００６８】
上述のようにタバコ陳列システム１０００の形成とデータ登録が完了すると、そこにタバコパックＴＰやブリックパックＢＰやタバコカートンＴＫを陳列して販売することになる。
【００６９】
しかし、上述のようにタバコ陳列システム１０００がタバコ販売店舗ごとに独自に構築されているため、そこにタバコパックＴＰやブリックパックＢＰやタバコカートンＴＫを最適に陳列することは容易ではない。
【００７０】
特に、不良在庫を最少とするためには、タバコ陳列システム１０００に陳列して販売する複数種類のタバコパックＴＰなどの回転率を最大とすることが好ましい。このためには、タバコ陳列システム１０００にタバコパックＴＰやブリックパックＢＰやタバコカートンＴＫを陳列するとき、そのタバコパックＴＰやブリックパックＢＰやタバコカートンＴＫの種類ごとの収容個数も確認する必要がある。
【００７１】
このような場合、本実施の形態のデータ処理装置８００では、上述のように各種構造のタバコ陳列システム１０００へのタバコパックＴＰやブリックパックＢＰやタバコカートンＴＫの陳列状態をシミュレートすることができる。
【００７２】
その場合、図８に示すように、データ処理装置８００の所定操作でシミュレーションプログラムを起動することで(ステップＳ１−Ｙ)、各種データが読み出されて所定の初期画面が表示出力される(ステップＳ２，Ｓ３)。
【００７３】
この初期画面では、例えば、図５に示すように、画面左側に、複数種類のタバコパックＴＰごとのパックフェイス画像ＰＦＧ、タバコカートンＴＫのカートンフェイス画像ＫＦＧおよびカートン端面画像ＫＥＧ、が操作アイコンとして表示出力される。
【００７４】
また、画面右下にタバコ陳列システム１０００のシステム正面画像ＳＦＧが表示出力される。ただし、初期画面ではシステム正面画像ＳＦＧの商品保持位置ＰＫＳは空白となっており、そこにパックフェイス画像ＰＦＧなどは配置されていない。
【００７５】
さらに、詳細には後述するが、画面右上にはタバコパックＴＰの種別ごとのタバコ総計個数の結果表示ウインドウが用意されているが、これも当然ながら初期状態では空白となっている。
【００７６】
このような状態で、作業者は所望によりパックフェイス画像ＰＦＧやカートンフェイス画像ＫＦＧなどをシステム正面画像ＳＦＧの商品保持位置ＰＫＳにドラッグアンドドロップで配置する(ステップＳ４−Ｙ)。
【００７７】
すると、図６に示すように、この入力操作に対応してシステム正面画像ＳＦＧの商品保持位置ＰＫＳにパックフェイス画像ＰＦＧやカートンフェイス画像ＫＦＧなどが配置される(ステップＳ６)。
【００７８】
ただし、そのパックフェイス画像ＰＦＧやカートンフェイス画像ＫＦＧと商品保持位置ＰＫＳには適否が属性データなどとして付与されている。このため、タバコパックＴＰしか配置できない商品保持位置ＰＫＳにカートンフェイス画像ＫＦＧが配置されるような入力操作が実行されても、これは操作エラーとして配置されない(ステップＳ５−Ｎ)。
【００７９】
一方、パックフェイス画像ＰＦＧやカートンフェイス画像ＫＦＧなどが適正な商品保持位置ＰＫＳに配置されると、その配置されたタバコパックＴＰやタバコカートンＴＫのタバコ総計個数が陳列収容構造ＤＩＳに対応して算出される(ステップＳ７)。
【００８０】
例えば、タバコカートンＴＫが六個のみ収容される商品保持位置ＰＫＳにカートンフェイス画像ＫＦＧが配置されると、画面右上の結果表示ウインドウには、カートンフェイス画像ＫＦＧが六個とのタバコ総計個数とともに表示出力される。
【００８１】
上述のように作業者が所望のパックフェイス画像ＰＦＧやカートンフェイス画像ＫＦＧなどをシステム正面画像ＳＦＧの商品保持位置ＰＫＳに配置することで(ステップＳ４−Ｙ)、システム正面画像ＳＦＧは、図７に示すように、タバコ陳列システム１０００にタバコパックＴＰやタバコカートンＴＫなどが陳列された状態となる。
【００８２】
このとき、上述の入力操作が実行されるごとにタバコ陳列システム１０００に収容されるタバコパックＴＰやタバコカートンＴＫのタバコ総計個数がリアルタイムに算出されて表示出力される(ステップＳ７，Ｓ８)。
【００８３】
このため、作業者はタバコ陳列システム１０００に収容されるタバコパックＴＰやタバコカートンＴＫのタバコ総計個数をリアルタイムに確認しながらタバコ陳列状態をシミュレートすることになる。
【００８４】
そこで、所望のタバコ陳列状態を完成した作業者は、例えば、そのタバコ陳列状態をデータ処理装置８００にデータ登録する(ステップＳ１０)。そして、例えば、このタバコ陳列状態をタバコ販売店舗のデータ処理装置８００からタバコ製造メーカのデータベースサーバに送信する(図示せず)。
【００８５】
すると、このタバコ製造メーカでは、そのタバコ販売店舗が必要とするタバコパックＴＰやタバコカートンＴＫの総数を種類ごとに簡単に把握することができ、そのタバコパックＴＰやタバコカートンＴＫを的確にタバコ販売店舗に納品することができる。
【００８６】
このようにタバコパックＴＰやタバコカートンＴＫが納品されたタバコ販売店舗では、例えば、前述のようにデータ登録したタバコ陳列状態をプリントアウトすることにより、納品されたタバコパックＴＰやタバコカートンＴＫをタバコ陳列システム１０００に簡単に陳列することができる。
【００８７】
本実施の形態のデータ処理装置８００では、上述のように商品保持位置ＰＫＳでタバコパックＴＰやブリックパックＢＰやタバコカートンＴＫを上下方向および左右方向に所定個数ずつ配列して陳列するとともに前後方向に所定個数ずつ収容するタバコ陳列システム１０００の陳列収容構造ＤＩＳを少なくともシステム正面画像ＳＦＧとともに構造記憶部８１０が記憶する。
【００８８】
さらに、複数種類のタバコパックＴＰやブリックパックＢＰやタバコカートンＴＫごとに少なくともパックフェイス画像ＰＦＧやブリックフェイス画像ＢＦＧやカートンフェイス画像ＫＦＧやカートン端面画像ＫＥＧを商品記憶部８２０が記憶する。
【００８９】
そして、記憶されているシステム正面画像ＳＦＧと複数種類のパックフェイス画像ＰＦＧやブリックフェイス画像ＢＦＧやカートンフェイス画像ＫＦＧやカートン端面画像ＫＥＧとを正面表示部８３０が表示出力する。
【００９０】
入力操作に対応してシステム正面画像ＳＦＧの商品保持位置ＰＫＳにパックフェイス画像ＰＦＧやブリックフェイス画像ＢＦＧやカートンフェイス画像ＫＦＧやカートン端面画像ＫＥＧを配置することでタバコ陳列システム１０００にタバコパックＴＰやブリックパックＢＰやタバコカートンＴＫが陳列された状態を陳列表示部８５０が表示出力する。
【００９１】
パックフェイス画像ＰＦＧやブリックフェイス画像ＢＦＧやカートンフェイス画像ＫＦＧやカートン端面画像ＫＥＧにパックフェイス画像ＰＦＧやブリックフェイス画像ＢＦＧやカートンフェイス画像ＫＦＧやカートン端面画像ＫＥＧが配置されたタバコパックＴＰやブリックパックＢＰやタバコカートンＴＫごとに前後方向の収容個数と上下左右の陳列個数とを乗算してタバコ総計個数を個数算出部８６０が算出する。
【００９２】
このため、作業者は表示出力されたシステム正面画像ＳＦＧの商品保持位置ＰＫＳに所望のパックフェイス画像ＰＦＧやブリックフェイス画像ＢＦＧやカートンフェイス画像ＫＦＧやカートン端面画像ＫＥＧを配置するだけで、タバコ陳列システム１０００にタバコパックＴＰやブリックパックＢＰやタバコカートンＴＫが陳列された状態を確認することができる。
【００９３】
特に、タバコ陳列システム１０００は陳列販売商品としてタバコパックＴＰやブリックパックＢＰやタバコカートンＴＫを陳列する。これらは前面に銘柄などが表記されており、美麗な陳列が重要である。
【００９４】
それでいてサイズは略統一されているので、上述のようにデータ処理装置８００でタバコ陳列状態をシミュレートすることが容易である。ただし、前述のように複数種類のフレームユニット３００で自由に構築されるタバコ陳列システム１０００は、その奥行方向の収容個数は一様ではない。
【００９５】
つまり、タバコ陳列システム１０００が組換自在な複数種類のフレームユニット３００などで形成されている。しかし、構造記憶部８１０は、複数種類のフレームユニット３００などごとのユニットデータでタバコ陳列システム１０００の陳列収容構造ＤＩＳを少なくともシステム正面画像ＳＦＧとともに記憶する。
【００９６】
このため、タバコ販売店舗ごとに様々なタバコ陳列システム１０００が構築されても、その各々に最適なタバコパックＴＰなどの陳列状態をタバコ総計個数を確認しながら模索することができる。
【００９７】
このため、データ処理装置８００では、システム正面画像ＳＦＧにパックフェイス画像ＰＦＧやブリックフェイス画像ＢＦＧやカートンフェイス画像ＫＦＧやカートン端面画像ＫＥＧを配置するだけで、タバコパックＴＰやブリックパックＢＰやタバコカートンＴＫごとにタバコ総計個数が算出される。
【００９８】
従って、所望によりタバコ陳列システム１０００での複数種類のタバコパックＴＰやブリックパックＢＰやタバコカートンＴＫの陳列状態を模索しながら、そのタバコパックＴＰやタバコカートンＴＫなどのタバコ総計個数をリアルタイムに確認することができる。
【００９９】
このため、全体的に美麗なタバコ陳列状態を模索しながらも、販売実績に対応した個数をタバコ陳列システム１０００に収容させることができ、不良在庫の発生を最小限として商品販売の回転数を最良とするようなことができる。
【０１００】
なお、本発明は本実施の形態に限定されるものではなく、その要旨を逸脱しない範囲で各種の変形を許容する。例えば、上記形態ではシステム正面画像ＳＦＧの上方に結果表示ウインドウが表示出力され、そこにタバコパックＴＰやタバコカートンＴＫなどごとにタバコ総計個数が表示出力されることを例示した。
【０１０１】
しかし、システム正面画像ＳＦＧの商品保持位置ＰＫＳに配置されたパックフェイス画像ＰＦＧなどごとにタバコ総計個数を表示出力してもよい(図示せず)。この場合、同一種類のパックフェイス画像ＰＦＧが離反した複数の商品保持位置ＰＫＳに配置されているような場合には好適ではない。
【０１０２】
しかし、一群の商品保持位置ＰＫＳごとにパックフェイス画像ＰＦＧなどが配置されているならば、そこにタバコ総計個数を表示出力することで、より直感的にタバコパックＴＰごとのタバコ総計個数などを確認することができる。
【０１０３】
また、上記形態ではタバコ陳列システム１０００に収容されるタバコパックＴＰやタバコカートンＴＫなどのタバコ総計個数を確認しながらタバコ陳列状態をシミュレートできることのみ例示した。
【０１０４】
しかし、そのタバコパックＴＰやタバコカートンＴＫなどは、収容個数に関連する外形寸法だけではなく、タバコ販売店舗での仕入コストなども相違する。そこで、これが問題となる場合には、商品記憶部８２０は、複数種類のタバコパックＴＰやブリックパックＢＰやタバコカートンＴＫごとに少なくともパックフェイス画像ＰＦＧやブリックフェイス画像ＢＦＧやカートンフェイス画像ＫＦＧやカートン端面画像ＫＥＧとともに販売商品コストも記憶し、データ処理装置８００は、タバコパックＴＰやブリックパックＢＰやタバコカートンＴＫごとにタバコ総計個数と販売商品コストとを乗算して商品総計コストを算出するコスト算出部と、算出された商品総計コストをタバコパックＴＰやブリックパックＢＰやタバコカートンＴＫごとに表示出力するコスト表示部とを、さらに有してもよい(図示せず)。
【０１０５】
この場合、所望によりタバコ陳列システム１０００での複数種類のタバコパックＴＰやブリックパックＢＰやタバコカートンＴＫの陳列状態を模索しながら、そのタバコパックＴＰやタバコカートンＴＫなどのタバコ総計個数と仕入コストなどをリアルタイムに確認することができる。
【０１０６】
このため、店舗財務状況なども考慮してタバコ陳列システム１０００でのタバコパックＴＰやタバコカートンＴＫの陳列状態を模索するようなことができる。なお、このようなデータ処理装置(図示せず)においても、そのシステム正面画像ＳＦＧの商品保持位置ＰＫＳに配置されたパックフェイス画像ＰＦＧなどごとに商品総計コストを表示出力してもよい。
【０１０７】
さらに、上述のようなデータ処理装置が、タバコパックＴＰやブリックパックＢＰやタバコカートンＴＫごとに算出された商品総計コストを総計して陳列総計コストを算出する総計算出部を、さらに有し、コスト表示部は、算出された商品総計コストをタバコパックＴＰやブリックパックＢＰやタバコカートンＴＫごとに表示出力するとともに陳列総計コストを表示出力してもよい。
【０１０８】
また、上記形態ではパックフェイス画像ＰＦＧやブリックフェイス画像ＢＦＧやカートンフェイス画像ＫＦＧなどが事前に用意されており、それが入力操作によりシステム正面画像ＳＦＧに配置されることを例示した。
【０１０９】
しかし、タバコカートンＴＫやブリックパックＢＰなどはタバコパックＴＰを内包した陳列販売商品である。このため、例えば、右クリックなどの所定操作を実行することで、パックフェイス画像ＰＦＧがブリックフェイス画像ＢＦＧやカートンフェイス画像ＫＦＧなどに切り換えられてもよい(図示せず)。
さらに、上記形態では売場が狭小なコンビニエンスストアなどで自由に構築される商品陳列システム１０００の運用を想定し、そのタバコパックＴＰなどの最適な収容個数を考慮しながらタバコ陳列システム１０００での美麗な陳列状態を容易に模索できることを想定した。
しかし、本実施の形態のデータ処理装置８００によりタバコパックＴＰなどの最適な収容個数を考慮しながらタバコ陳列システム１０００での美麗な陳列状態を容易に模索できることは、例えば、スペースに余裕のある売上での対面販売などにも同様に適用することができる(図示せず)。
【０１１０】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【０１１１】
【図１】本発明の実施の形態のデータ処理装置の論理構造を示す模式的なブロック図である。
【図２】データ処理装置の物理構造を示すブロック図である。
【図３】ユニットシステムであるタバコ陳列システムの外観を示す斜視図である。
【図４】タバコ陳列システムの要部の構造を示す分解斜視図である。
【図５】タバコ陳列システムにタバコパックなどを陳列するシミュレートプログラムの初期画像が表示出力されたデータ処理装置の表示画面を示す模式的な正面図である。
【図６】タバコ陳列システムにタバコパックなどを陳列する入力操作が実行されたときのデータ処理装置の表示画面を示す模式的な正面図である。
【図７】タバコ陳列システムにタバコパックなどの陳列が完了した状態のデータ処理装置の表示画面を示す模式的な正面図である。
【図８】データ処理装置のデータ処理方法を示すフローチャートである。
【符号の説明】
【０１１２】
１００    マガジンユニット
２００    トレーユニット
３００    フレームユニット
３１０    本体フレーム
３１１    面ファスナ
３１４    凸部材
３２０    支持フレーム
８００    データ処理装置
８０１    表示デバイス
８０２    入力デバイス
８０３    コンピュータユニット
８１０    構造記憶部
８２０    商品記憶部
８３０    正面表示部
８３１    ＣＰＵ
８３２    ＲＯＭ
８３３    ＲＡＭ
８３４    バスライン
８４０    配列操作部
８４１    ＨＤＤ
８４２    カードリーダ
８４３    ＣＤドライブ
８４４    キーボード
８４５    マウス
８４６    Ｉ／Ｆユニット
８５０    陳列表示部
８５１    データカード
８５２    ＣＤ−ＲＯＭ
８６０    個数算出部
８７０    個数表示部
１０００    タバコ陳列システム
ＢＦＧ    ブリックフェイス画像
ＢＰ    ブリックパック
ＤＩＳ    陳列収容構造
ＥＦ    簡易什器
ＫＥＧ    カートン端面画像
ＫＦＧ    カートンフェイス画像
ＰＦＧ    パックフェイス画像
ＰＫＳ    商品保持位置
ＳＦＧ    システム正面画像
ＴＫ    タバコカートン
ＴＰ    タバコパック
【図１】
2010026786.tif 000003
【図２】
2010026786.tif 000004
【図３】
2010026786.tif 000005
【図４】
2010026786.tif 000006
【図５】
2010026786.tif 000007
【図６】
2010026786.tif 000008
【図７】
2010026786.tif 000009
【図８】
2010026786.tif 000010